(57)【特許請求の範囲】
【請求項１】
少なくとも３つの節部を有する竹筒の、（１）最上部の節部の一端側に、先端を斜めにカットした、湾曲させた差し口用細竹を挿設し、（２）またその節部の他端側から中間部の節部に沿って延びる筒部に注入口を形成し、（３）さらに、中間部の節部には、その周辺に通水孔を、また、竹筒中心より反対側にずらして、通水孔より小さい通気孔を各々設け、（４）そして最下部の節部を底部としたことを特徴とする竹製飲料用容器。
【請求項２】
最上部の節部と中間部の節部との間を共鳴室とし、中間部の節部と最下部の節との間を飲料溜め部としたことを特徴とする請求項１記載の竹製飲料用容器。
【請求項３】
竹筒の上部に提げ手を一体に形成したことを特徴とする請求項１又は２のいずれか１項に記載の竹製飲料用容器。
【請求項４】
最下部の節部の下部に、孔を開けた脚部を一体に形成したことを特徴とする請求項１〜３のいずれか１項に記載の竹製飲料用容器。
【発明の詳細な説明】
【０００１】
【産業上の利用分野】
本発明は、竹を利用した飲料用容器に関する。
【０００２】
【従来の技術】
食卓用又は携帯用飲料用容器としては、水差し、ポット、水筒等があり、酒類用として、徳利、黒ジョカ、カラカラ、瓢箪、竹筒等があり、特に竹筒は、竹の香りが酒に移り酒の風味を益ので、酒器として珍重されている。
【０００３】
【発明が解決しようとする課題】
本発明は、竹を用いて作成した酒類等容器において、酒類等を容器へ入れる時、また、酒類等容器から盃等へそそぐ時に、水琴窟にも似た心地良い音色を発することができる竹製飲料用容器を提供することを課題とする。
【０００４】
【課題を解決するための手段】
上記課題を解決するために本発明が採用した特徴とする点は次のとおりである。
【０００５】
[１] 少なくとも３つの節部を有する竹筒の、（１）最上部の節部の一端側に、先端を斜めにカットした、湾曲させた差し口用細竹を挿設し、（２）またその節部の他端側から中間部の節部に沿って延びる筒部に注入口を形成し、（３）さらに、中間部の節部には、その周辺に通水孔を、また、竹筒中心より反対側にずらして、通水孔より小さい通気孔を各々設け、（４）そして最下部の節部を底部としたことを特徴とする竹製飲料用容器。
少なくとも３つの節部を有する竹筒の、最上部の節部の一端側に、先端を斜めにカットした、湾曲させた差し口用細竹を挿設し、またその節部の他端側から中間部の節部に沿って延びる筒部に注入口を形成し、さらに、中間部の節部に通水孔及び通気孔を形成し、そして最下部の節部を底部としたことを特徴とする竹製飲料用容器。
【０００６】
[２]  最上部の節部と中間部の節部との間を共鳴室とし、中間部の節部と最下部の節との間を飲料溜め部としたことを特徴とする前記[１]記載の竹製飲料用容器。
【０００７】
[３]  竹筒の上部に提げ手を一体に形成したことを特徴とする前記[１]又は[２]のいずれか１項に記載の竹製飲料用容器。
[４]  最下部の節部の下部に、孔を開けた脚部を一体に形成したことを特徴とする前記[１]〜[３]のいずれか１項に記載の竹製飲料用容器。
【０００８】
【実施例】
本発明の竹製飲料用容器を徳利に適用した例（竹製徳利）で説明するが、細部の構成は収納する飲料の種類により適宜変更するものである。
【０００９】
図１は本発明の竹製徳利の斜視図、図２は図１に示す竹製徳利の縦断面図であり、図３は第２の節に設ける通水孔及び通気孔の例を示す平面図であり、本実施例の竹製徳利の主要部は、底面側から第１、第２及び第３の節１、節２及び節３を有し、第１の節１と第２の節２との間の空間部を液体貯留用の第１の室４とし、第２の節２と第３の節３との間の空間部を共鳴用の第２の室５としている。
【００１０】
図中１２、１２は、第３の節３の上方の竹材を、取付孔９と注入口６側の上部の竹を一部残して形成した一対の角であり、その上端近傍の内側に対向する横溝１３、１３を設け、該横溝１３、１３に細竹支持孔１４を穿った竹製の横桟１５の端部を装着し、提げ手を構成しており、持ち運びが便利であると共に差し口用細竹１０の保護をしている。
【００１１】
第３の節３に細竹製の差し口用細竹１０を差し込む取付孔９が設けられており、該取付孔９には、横桟１５に設けた細竹支持孔１４を介して、外方に向けて湾曲させ  、その先端部の差し口１１を斜めにカットして形成した細竹製の差し口用細竹１０が、末端が第３の節３の底面と面一になるようにして挿入固定されている。したがって、竹製徳利内の酒等の飲料をなめらかに注ぎ出すことができ、差し零すおそれがない。また、差し口用細竹１０と反対側の周面部には注入口６が設けられている。
【００１２】
また、図中１６は、第１の節１の下方の竹材を、これに切り込み１７及び孔１８が設けられており、容器内を酒が流動している時、テーブル等に置くと、共鳴室内に残っている酒が溜め室内に滴下する際の音がテーブルの天板と共鳴して、なお一層音色が良くなる。また、脚１６に設けた孔１８は使用後内部を洗浄した後、吊り下げて内部に残留した、洗浄水の排出を促すと共に、非使用時吊り下げて保管するのに適している。なお、図示の例では、脚１６を三脚にして、テーブル等に安定した状態で置けるようにしてある。
【００１３】
中間の第２の節２には通水孔７及び通気孔８を穿設し、この通水孔７及び通気孔８の大きさは、後述する共鳴音を効果的に発生させるために、図３に例示するような配置で設けられている。すなわち、図３(a)は、取付孔９の直下に位置する第２の節２の周辺に通水孔７を設け、通水孔７より小さく竹筒中心より反対側にずらして通気孔８を設けた例であり、図３(b)は、第２の節２の周辺に通水孔７を設け、竹筒中心位置及び通水孔７と反対側周辺に通気孔８，８を設けた例であり、また、図３(c)は、周辺に大径の孔の両側に小径の孔を連設した通水孔７を設け、通水孔７より小さく竹筒中心より反対側にずらして通気孔８を設けた例であり、通気孔８の位置をずらすことにより、音色が変化する。
なお、通水孔７は、第３の節３の取付孔９の直下に位置する周辺に設けられ、孔の径は用いる竹材の径にもよるが、大径６mm、小径４mm程度が目安である。
【００１４】
次いで上記構成の竹製徳利について、図３（ａ）〜（ｃ）に示す配置で第２の節２に設けた通水孔７及び通気孔８を設けた場合の、使用時の挙動について説明する。
【００１５】
飲料を注入する場合には、通水孔７及び通気孔８の配列が図３（ａ）〜（ｃ）に示す場合のいずれでも、注入口６が上方に向くように竹製徳利を傾斜させ、注入口６から酒を注ぎ込むと、先ず第２の室５に酒が入り込み、さらに通水孔７を通って下部の第１の室４に入り込む。第２の節２には通水孔７とは別に通気孔８が設けられているので、酒は下部の第１の室４にスムースに流れ込む。この第１の室４に所定量の酒を溜めておくと、竹の香りが酒に移り酒の風味を増す。
【００１６】
酒を盃に差す場合、通水孔７及び通気孔８の配列が図３（ａ）の場合には、
竹製徳利を傾けると第１の室４に貯留された酒が通水孔７から先ず第２の室５へと流れ込み、さらに、差し口用細竹１０を介して流出させて盃に差すことができるが、通気孔８が設けられているので、酒は空気の流入に伴いボコボコと脈動することがなくスムースに流れ出すので、零したり差しすぎることがない。
【００１７】
また、通水孔７及び通気孔８の配列が図３（ｂ）に示す場合には、竹製徳利を傾けると、酒は通水孔７を介して第２の室５内の空気を、断続的に吸い込みながら第２の室５内に流出するため、この断続して排除される空気が音を発し、さらに、この音が第２の室５で共鳴して水琴窟にも似た心地良い快音を発する。
【００１８】
さらに、通水孔７及び通気孔８の配列が図３（ｃ）に示す場合には、通水孔７及び通気孔８の位置関係は図３（ａ）の場合と同じなので、発音のタイミングは同じであるが、通水孔７の形状が異なるので、第２の室５から第１の室４に戻る際に発する音色が微妙に相違する。
【００１９】
盃に所定量を注ぎ込み竹製徳利を立てると、通水孔７及び通気孔８の配列が図３（ａ）〜（ｃ）のいずれの場合も、第２の室５に残留した酒が第２の室５の底を形成する第２の節２に形成した通水孔７を通って第１の室４に戻ろうとするが、通水孔７、通気孔８の両者とも上方に位置する酒に塞がれているので、酒はそれら孔を介して第１の室４内の空気を断続的に排除しながら第１の室４内に流入するため、この断続して排除される空気が音を発し、さらに、この音が第２の室５で共鳴して水琴窟にも似た心地良い快音を発する。
【００２０】
【発明の効果】
この竹製飲料用容器へ酒類等を入れる時、また、盃等へ注ぐ時に水琴窟にも似た心地良い音色を響かせること、そして、細竹を用いた差し口により、差しこぼし等もなく、なめらかに注げる。
したがって、この容器を使用することにより、ただ、飲むだけでなく、容器の持ち方、傾け方等によっても音色の変化を楽しむことができるため、宴席等が一層華やかになり、楽しくなる。
【図面の簡単な説明】
【図１】本発明の竹製徳利（竹製飲料用容器）の斜視図
【図２】本発明の竹製徳利（竹製飲料用容器）の縦断面図
【図３】本発明の竹製徳利（竹製飲料用容器）の第２の節に設ける孔の例を示す平面図
【符号の説明】
１：第１の節（最下部の節）
２：第２の節（中間部の節）
３：第３の節（最上部の節）
４：第１の室（貯留室）
５：第２の室（共鳴室）
６：注入口
７：通水孔
８：通気孔
９：取付孔
１０：差し口用細竹
１１：差し口
１２：角
１３：横溝
１４：細竹支持孔
１５：横桟
１６：脚
１７：切り込み
１８：孔
【図１】
0004326118.tif 000002
【図２】
0004326118.tif 000003
【図３】
0004326118.tif 000004